(57)【要約】【課題】ディファレンシャル信号線対の配線空間を節約できる印刷回路基板及びその配線方法を提供すること。【解決手段】本印刷回路基板の配線方法は、印刷回路基板に信号層及び前記信号層の上に位置する２つのディファレンシャル信号線対を配置するステップと、第一距離を確定し、前記２つの信号線対の間の距離が前記第一距離より大きい場合前記２つの信号線対の信号出力端のアイパターン波型におけるアイ幅或いはアイ高さは大きくなり、前記２つの信号線対の間の距離が前記第一距離より小さい場合前記２つの信号線対の信号出力端のアイパターン波型におけるアイ幅或いはアイ高さは小さくなるステップと、前記２つの信号線対の間の距離を前記第一距離より小さな第二距離に設定して、前記２つの信号線対の信号出力端のアイパターン波型におけるアイ幅及びアイ高さを、ディファレンシャル配線のアイパターンに対する要求に適合させるステップとを備える。【選択図】図１
2011119726.tif 000002
【特許請求の範囲】
【請求項１】
印刷回路基板に、信号層及び前記信号層上に位置する２つのディファレンシャル信号線対を配置するステップと、
第一距離を確定し、前記２つのディファレンシャル信号線対の間の距離が前記第一距離より大きい場合、前記２つのディファレンシャル信号線対の信号出力端のアイパターン波型におけるアイ幅或いはアイ高さは大きくなり、前記２つのディファレンシャル信号線対の間の距離が前記第一距離より小さい場合、前記２つのディファレンシャル信号線対の信号出力端のアイパターン波型におけるアイ幅或いはアイ高さは小さくなるステップと、
前記２つのディファレンシャル信号線対の間の距離を前記第一距離より小さな第二距離に設定して、前記２つのディファレンシャル信号線対の信号出力端のアイパターン波型におけるアイ幅及びアイ高さを、ディファレンシャル配線のアイパターンに対する要求に適合させるステップと、
を備えることを特徴とする印刷回路基板の配線方法。
【請求項２】
前記第一距離より小さな第三距離を確定するステップをさらに備え、
前記２つのディファレンシャル信号線対の間の距離が前記第三距離より大きい場合、前記２つのディファレンシャル信号線対の信号出力端のアイパターン波型におけるアイ幅或いはアイ高さは小さくなり、
前記２つのディファレンシャル信号線対の間の距離が前記第三距離より小さい場合、前記２つのディファレンシャル信号線対の信号出力端のアイパターン波型におけるアイ幅或いはアイ高さは大きくなり、
前記第二距離は、前記第一距離より小さく、且つ前記第三距離より大きいか等しいことを特徴とする請求項１に記載の印刷回路基板の配線方法。
【請求項３】
前記第二距離を設定するステップは、アイ幅により確定した第二距離及びアイ高さにより確定した第二距離を比較して、その中でより大きいほうの第二距離を前記２つのディファレンシャル信号線対の間の距離に設定するステップを備えることを特徴とする請求項２に記載の印刷回路基板の配線方法。
【請求項４】
前記第一距離を確定するステップにおいて、前記２つのディファレンシャル信号線対の信号出力端で、アイパターン波型におけるアイ幅或いはアイ高さと前記２つのディファレンシャル信号線対の間の距離との関連曲線を獲得し、該関連曲線でのアイ幅或いはアイ高さの最小値を第一距離とすることを特徴とする請求項１に記載の印刷回路基板の配線方法。
【請求項５】
前記第一距離を確定するステップにおいて、
信号発生器を各々のディファレンシャル信号線対の入力端にそれぞれ電気接続すると同時に、オシロスコープを各々のディファレンシャル信号線対の出力端にそれぞれ電気接続し、
前記信号発生器は、固定周波数の信号を発送し、前記オシロスコープは、出力信号のアイパターン波型を生成することを特徴とする請求項４に記載の印刷回路基板の配線方法。
【請求項６】
前記アイパターン波型におけるアイ幅或いはアイ高さと２つのディファレンシャル信号線対の間の距離との関連曲線は、非対称なパラボラであり、
前記非対称なパラボラの底部に対応する２つのディファレンシャル信号線対の間の距離が第一距離であることを特徴とする請求項４に記載の印刷回路基板の配線方法。
【請求項７】
信号層及び前記信号層上に位置する２つのディファレンシャル信号線対を備え、前記２つのディファレンシャル信号線対の信号出力端のアイパターン波型におけるアイ幅或いはアイ高さが前記２つのディファレンシャル信号線対の間の距離の変化に従って変更された印刷回路基板であって、
前記２つのディファレンシャル信号線対の間の距離が第一距離である場合、前記２つのディファレンシャル信号線対の信号出力端のアイパターン波型におけるアイ幅或いはアイ高さは、最小値になり、
前記２つのディファレンシャル信号線対の間の距離が前記第一距離より小さな第二距離である場合、前記２つのディファレンシャル信号線対の信号出力端のアイパターン波型におけるアイ幅及びアイ高さは、ディファレンシャル配線のアイパターンに対する要求に適合することを特徴とする印刷回路基板。
【請求項８】
前記第二距離は、前記第一距離より小さく且つ第三距離より大きいか等しく、
前記２つのディファレンシャル信号線対の間の距離が前記第三距離である場合、前記２つのディファレンシャル信号線対の信号出力端のアイパターン波型におけるアイ幅或いはアイ高さは、波峰値になることを特徴とする請求項７に記載の印刷回路基板。
【請求項９】
前記第二距離は、アイ幅により確定した第二距離及びアイ高さにより確定した第二距離の中のより大きいほうの値であることを特徴とする請求項８に記載の印刷回路基板。
【請求項１０】
印刷回路基板に、信号層及び前記信号層上に位置する２つのディファレンシャル信号線対を配置するステップと、
前記２つのディファレンシャル信号線対の信号出力端で、アイパターン波型におけるアイ幅或いはアイ高さと前記２つのディファレンシャル信号線対の間の距離との関連曲線を獲得するステップと、
前記関連曲線で左臨界点及び右臨界点を確定し、前記２つのディファレンシャル信号線対の間の距離が前記左臨界点に対応する２つのディファレンシャル信号線対の間の左臨界距離より小さい場合、前記２つのディファレンシャル信号線対の信号出力端のアイパターン波型におけるアイ幅或いはアイ高さは大きくなり、前記２つのディファレンシャル信号線対の間の距離が前記右臨界点に対応する２つのディファレンシャル信号線対の間の右臨界距離より大きい場合、前記２つのディファレンシャル信号線対の信号出力端のアイパターン波型におけるアイ幅或いはアイ高さは大きくなるステップと、
前記左臨界距離より小さいか等しく、或いは前記右臨界距離より大きいか等しい第二距離を確定し、前記２つのディファレンシャル信号線対の間の距離を前記第二距離に設定して、前記２つのディファレンシャル信号線対の信号出力端のアイパターン波型におけるアイ幅及びアイ高さを、ディファレンシャル配線のアイパターンに対する要求に適合させるステップと、
を備えることを特徴とする印刷回路基板の配線方法。
【請求項１１】
前記左臨界距離より小さな第三距離を確定するステップをさらに備え、
前記２つのディファレンシャル信号線対の間の距離が前記第三距離より大きい場合、前記２つのディファレンシャル信号線対の信号出力端のアイパターン波型におけるアイ幅或いはアイ高さは小さくなり、
前記２つのディファレンシャル信号線対の間の距離が前記第三距離より小さい場合、前記２つのディファレンシャル信号線対の信号出力端のアイパターン波型におけるアイ幅或いはアイ高さは大きくなり、
前記第二距離は、前記左臨界距離より小さいか等しく、且つ前記第三距離より大きいか等しいことを特徴とする請求項１０に記載の印刷回路基板の配線方法。
【請求項１２】
前記第二距離を確定するステップは、アイ幅により確定した第二距離及びアイ高さにより確定した第二距離を比較して、その中でより大きいほうの第二距離を前記２つのディファレンシャル信号線対の間の距離に設定するステップを備えることを特徴とする請求項１１に記載の印刷回路基板の配線方法。
【請求項１３】
前記第三距離を確定するステップにおいて、
信号発生器を各々のディファレンシャル信号線対の入力端にそれぞれ電気接続すると同時に、オシロスコープを各々のディファレンシャル信号線対の出力端にそれぞれ電気接続し、
前記信号発生器は、固定周波数の信号を発送し、前記オシロスコープは、出力信号のアイパターン波型を生成することを特徴とする請求項１１に記載の印刷回路基板の配線方法。
【請求項１４】
前記第三距離を確定するステップは、前記オシロスコープが出力信号のアイパターン波型を生成した後に、
アイパターンのアイ幅或いはアイ高さが２つのディファレンシャル信号線対の間の距離に従って変化する非対称的なパラボラを獲得し、選ばれた２つのディファレンシャル信号線対の間の距離が前記右臨界距離より小さい時に、前記非対称的なパラボラの波峰値に対応する２つのディファレンシャル信号線対の間の距離を第三距離とするステップをさらに備えることを特徴とする請求項１３に記載の印刷回路基板の配線方法。
【請求項１５】
印刷回路基板に、信号層及び前記信号層上に位置する２つのディファレンシャル信号線対を配置するステップと、
前記２つのディファレンシャル信号線対の間の右臨界距離を確定して、前記２つのディファレンシャル信号線対の信号出力端のアイパターン波型におけるアイ幅及びアイ高さをディファレンシャル配線のアイパターンに対する要求に適合させ、前記２つのディファレンシャル信号線対の間の距離が前記右臨界距離より大きい場合、前記２つのディファレンシャル信号線対の信号出力端のアイパターン波型におけるアイ幅或いはアイ高さは大きくなり、前記２つのディファレンシャル信号線対の間の距離が前記右臨界距離より小さい場合、前記２つのディファレンシャル信号線対の信号出力端のアイパターン波型におけるアイ幅或いはアイ高さは小さくなるステップと、
前記右臨界距離より小さな第二距離を確定して、前記２つのディファレンシャル信号線対の信号出力端のアイパターン波型におけるアイ幅及びアイ高さをディファレンシャル配線のアイパターンに対する要求に適合させ、前記２つのディファレンシャル信号線対の間の距離を前記第二距離より小さいか等しくするステップと、
を備えることを特徴とする印刷回路基板の配線方法。
【請求項１６】
前記２つのディファレンシャル信号線対の間の距離が前記左臨界距離より大きく且つ前記右臨界距離より小さい場合、記２つのディファレンシャル信号線対の信号出力端のアイパターン波型におけるアイ幅及びアイ高さは、ディファレンシャル配線のアイパターンに対する要求に適合しないことを特徴とする請求項１５に記載の印刷回路基板の配線方法。
【請求項１７】
前記左臨界距離より小さな第三距離を確定するステップをさらに備え、
前記２つのディファレンシャル信号線対の間の距離が前記第三距離より大きい場合、前記２つのディファレンシャル信号線対の信号出力端のアイパターン波型におけるアイ幅或いはアイ高さは小さくなり、
前記２つのディファレンシャル信号線対の間の距離が前記第三距離より小さい場合、前記２つのディファレンシャル信号線対の信号出力端のアイパターン波型におけるアイ幅或いはアイ高さは大きくなり、
前記第二距離は、前記左臨界距離より小さいか等しく、且つ前記第三距離より大きいか等しいことを特徴とする請求項１６に記載の印刷回路基板の配線方法。
【発明の詳細な説明】
【技術分野】
【０００１】
本発明は、ディファレンシャル信号線対の配線空間を節約できる印刷回路基板及びその配線方法に関するものである。
【背景技術】
【０００２】
クロストーク（ｃｒｏｓｓ  ｔａｌｋ）は、１つの信号がチャンネルで伝送されている時、電磁気カップリングによって近接する信号転送線に影響を及ぼす。即ち、干渉される信号に一定のカップリング電圧及びカップリング電流が生じる。デジタル回路の設計領域において、クロストーク現象が広範に存在している。しかも、信号伝送速度の向上及び電子製品のコンパクト化に従って、デジタルシステムのクロストーク問題もさらに深刻になる。過大なクロストークは、システムの性能を害するだけではなく、回路の誤作動を引き起こし、システムが正常的に動作できないという結果を招く。
【発明の概要】
【発明が解決しようとする課題】
【０００３】
上記の問題を解決するために、当業界では、通常、信号線のピッチを増大する方法でクロストーク現象を低減させ、信号アイパターン（ｅｙｅ  ｐａｔｔｅｒｎ）波型におけるアイ幅（ｗｉｄｔｈ  ｏｆ  ｅｙｅ）及びアイ高さ（ｈｅｉｇｈｔ  ｏｆ  ｅｙｅ）を全てより大きい値にする。しかし、信号線のピッチの増大に伴って、配線空間が大きく費やされ、印刷回路基板の配線密度が低くなり、通信製品のコンパクト化が困難となる。
【０００４】
本発明は、上記の課題に鑑みてなされたものであり、ディファレンシャル信号線対の配線空間を節約できる印刷回路基板及びその配線方法を提供することを目的とする。
【課題を解決するための手段】
【０００５】
前記問題を解決するために、本発明に係る印刷回路基板の配線方法は、印刷回路基板に信号層及び前記信号層の上に位置する２つのディファレンシャル信号線対を配置するステップと、第一距離を確定して、前記２つのディファレンシャル信号線対の間の距離が前記第一距離より大きい場合、前記２つのディファレンシャル信号線対の信号出力端のアイパターン波型におけるアイ幅或いはアイ高さは大きくなり、また、前記２つのディファレンシャル信号線対の間の距離が前記第一距離より小さい場合、前記２つのディファレンシャル信号線対の信号出力端のアイパターン波型におけるアイ幅或いはアイ高さは小さくなるステップと、前記２つのディファレンシャル信号線対の間の距離を前記第一距離より小さな第二距離に設定して、前記２つのディファレンシャル信号線対の信号出力端のアイパターン波型におけるアイ幅及びアイ高さを、ディファレンシャル配線のアイパターンに対する要求に適合させるステップと、を備える。
【０００６】
また、本発明に係る印刷回路基板は信号層を備え、前記信号層の上に２つのディファレンシャル信号線対を配置する。前記２つのディファレンシャル信号線対の信号出力端のアイパターン波型におけるアイ幅或いはアイ高さは、前記２つのディファレンシャル信号線対の間の距離の変化に従って変更される。前記２つのディファレンシャル信号線対の間の距離が第一距離である場合、前記２つのディファレンシャル信号線対の信号出力端のアイパターン波型におけるアイ幅或いはアイ高さは最小値になる。前記２つのディファレンシャル信号線対の間の距離は前記第一距離より小さい第二距離である場合、前記２つのディファレンシャル信号線対の信号出力端のアイパターン波型におけるアイ幅及びアイ高さは、ディファレンシャル配線のアイパターンに対する要求に適合する。
【０００７】
また、本発明に係る印刷回路基板の配線方法は、印刷回路基板に信号層及び前記信号層の上に位置する２つのディファレンシャル信号線対を配置するステップと、前記２つのディファレンシャル信号線対の信号出力端で、アイパターン波型におけるアイ幅或いはアイ高さと前記２つのディファレンシャル信号線対の間の距離との関連曲線を獲得するステップと、前記関連曲線に対して左臨界点及び右臨界点を確定して、前記２つのディファレンシャル信号線対の間の距離は前記左臨界点に対応する２つのディファレンシャル信号線対の間の左臨界距離より小さい場合、前記２つのディファレンシャル信号線対の信号出力端のアイパターン波型におけるアイ幅或いはアイ高さが大きくなり、前記２つのディファレンシャル信号線対の間の距離は前記右臨界点に対応する２つのディファレンシャル信号線対の間の右臨界距離より大きい場合、前記２つのディファレンシャル信号線対の信号出力端のアイパターン波型におけるアイ幅或いはアイ高さが大きくなるステップと、前記左臨界距離により小さい或いは前記左臨界距離に等しく、又は前記右臨界距離より大きい或いは前記右臨界距離に等しい第二距離を確定して、前記２つのディファレンシャル信号線対の間の距離を前記第二距離に設定して、前記２つのディファレンシャル信号線対の信号出力端のアイパターン波型におけるアイ幅及びアイ高さを、ディファレンシャル配線のアイパターンに対する要求に適合させるステップと、を備える。
【０００８】
また、本発明に係る印刷回路基板の配線方法は、印刷回路基板に信号層及び前記信号層の上に位置する２つのディファレンシャル信号線対を配置するステップと、前記２つのディファレンシャル信号線対の間の右臨界距離を確定して、前記２つのディファレンシャル信号線対の信号出力端のアイパターン波型におけるアイ幅及びアイ高さをディファレンシャル配線のアイパターンに対する要求に適合させる。前記２つのディファレンシャル信号線対の間の距離は前記右臨界距離より大きい場合、前記２つのディファレンシャル信号線対の信号出力端のアイパターン波型におけるアイ幅或いはアイ高さは大きくなる。また、前記２つのディファレンシャル信号線対の間の距離は前記右臨界距離より小さい場合、前記２つのディファレンシャル信号線対の信号出力端のアイパターン波型におけるアイ幅或いはアイ高さは小さくなるステップと、前記右臨界距離より小さい第二距離を確定して、前記２つのディファレンシャル信号線対の信号出力端のアイパターン波型におけるアイ幅及びアイ高さをディファレンシャル配線のアイパターンに対する要求に適合させ、前記２つのディファレンシャル信号線対の間の距離を前記第二距離より小さく或いは前記第二距離に等しくするステップと、を備える。
【発明の効果】
【０００９】
本発明に係る印刷回路基板及びその配線方法において、２つのディファレンシャル信号線対の間の距離を第二距離に設定して、２つのディファレンシャル信号線対の信号出力端のアイパターン波型におけるアイ幅及びアイ高さをディファレンシャル配線のアイパターンに対する要求に適合させることによって、印刷回路基板におけるディファレンシャル信号線対の配線空間を大幅に節約する。
【図面の簡単な説明】
【００１０】
【図１】本発明に係る印刷回路基板の断面図であり、前記印刷回路基板内には少なくとも２つのディファレンシャル信号線対が配置されている。
【図２】本発明の第一実施形態に係る印刷回路基板の配線方法により得たアイパターン波型におけるアイ幅と２つのディファレンシャル信号線対の間のピッチとの関係を示す曲線図である。
【図３】本発明の第一実施形態に係る印刷回路基板の配線方法により得たアイパターン波型におけるアイ高さと２つのディファレンシャル信号線対の間のピッチとの関係を示す曲線図である。
【図４】本発明の第二実施形態に係る印刷回路基板の配線方法により得たアイパターン波型におけるアイ幅と２つのディファレンシャル信号線対の間のピッチとの関係を示す曲線図である。
【図５】本発明の第二実施形態に係る印刷回路基板の配線方法により得たアイパターン波型におけるアイ高さと２つのディファレンシャル信号線対の間のピッチとの関係を示す曲線図である。
【発明を実施するための形態】
【００１１】
図１に示したように、本発明の印刷回路基板１００は、下から上に向かって順次に配置される接地ベース層１０、信号層２０及び溶接阻止層４０を備える。前記信号層２０の上には、少なくとも２つのディファレンシャル（ｄｉｆｆｅｒｅｎｔｉａｌ）信号線対３１が配列されている。各々のディファレンシャル信号線対３１は、第一信号線３１１及び第二信号線３１２を備える。前記第一信号線３１１の幅、厚さ及び長さは、それぞれＷ、Ｔ、Ｌであり、前記第二信号線３１２の幅、厚さ及び長さは、それぞれ前記第一信号線３１１と等しい。各々のディファレンシャル信号線対３１の第一信号線３１１と第二信号線３１２との間のピッチは、Ｓであり、前記２つのディファレンシャル信号線対３１の間のピッチは、ＤＳである。前記信号層２０の厚さは、Ｈであり、前記溶接阻止層４０の厚さは、Ｔｍである。
【００１２】
第一実施形態において、各々のディファレンシャル信号線対３１の第一信号線３１１及び第二信号線３１２の幅Ｗは、５ｍｉｌ（ミル）であり、厚さＴは、１．９ｍｉｌであり、長さＬは、１２ｉｎｃｈ（インチ）である。各々のディファレンシャル信号線対３１の第一信号線３１１と第二信号線３１２との間のピッチＳは、７ｍｉｌである。前記信号層２０において、厚さＨは、４．２ｍｉｌであり、誘電率（ｐｅｒｍｉｔｔｉｖｉｔｙ）は、４．１である。前記溶接阻止層４０において、厚さＴｍは、０．７ｍｉｌであり、誘電率は、３．４である。各々のディファレンシャル信号線対３１の第一信号線３１１と第二信号線３１２との間のピッチＳは、固定値である。ディファレンシャル信号の特質抵抗に対する要求を満たすために、前記ピッチＳは、前記第一信号線３１１の幅Ｗ及び厚さＴ、前記信号層２０の厚さＨ及び誘電率、前記溶接阻止層４０の厚さＴｍ及び誘電率などに応じて決める。
【００１３】
各々のディファレンシャル信号線対３１の入力端をそれぞれ１つの信号発生器に接続すると同時に、各々のディファレンシャル信号線対３１の出力端をそれぞれ１つのオシロスコープに接続する。前記信号発生器のデータ伝送率は、８ｂｉｔ／秒であり、前記オシロスコープのデータ接取のビット・エラー・レート（Ｂｉｔ  Ｅｒｒｏｒ  Ｒａｔｅ，ＢＥＲ）は、１Ｅ−１２である。
【００１４】
図２及び図３に示したように、テストする時に、前記２つのディファレンシャル信号線対３１の間のピッチＤＳを変更すると、図２に示したアイパターン波型におけるアイ幅とピッチＤＳとの関連図、及び図３に示したアイパターン波型におけるアイ高さとピッチＤＳとの関連図を得る。図２を参照すると、前記ピッチＤＳは、前記アイパターン波型のアイ幅を波谷（ｗａｖｅ  ｔｒｏｕｇｈ）値にさせる第一距離を有する。本実施形態おいて、前記第一距離は、７ｍｉｌである。前記２つのディファレンシャル信号線対３１の間の距離が前記第一距離より大きい場合、前記２つのディファレンシャル信号線対３１の信号出力端のアイパターン波型のアイ幅或いはアイ高さは大きくなる。また、前記２つのディファレンシャル信号線対３１の間の距離が前記第一距離より小さい場合、前記２つのディファレンシャル信号線対３１の信号出力端のアイパターン波型のアイ幅或いはアイ高さは小さくなる。前記ピッチＤＳは、前記第一距離より小さな第三距離を有し、前記第三距離は、前記出力信号アイパターン波型における前記第一距離より小さな距離に対応するアイ幅の値を最大にする。前記ピッチＤＳは、前記第一距離より大きな第四距離をさらに有し、前記第四距離に対応するアイ幅は、前記第三距離に対応するアイ幅と等しい。本実施形態において、前記第三距離は、３ｍｉｌであり、前記第四距離は、２７．５ｍｉｌである。
【００１５】
前記アイパターン波型におけるアイ幅とピッチＤＳとの関連図は、非対称なパラボラである。前記非対称なパラボラは、左臨界点Ａ及び右臨界点Ｂを有する。前記左臨界点Ａに対応する２つのディファレンシャル信号線対３１間のピッチＤＳは、左臨界距離であり、前記右臨界点Ｂに対応する２つのディファレンシャル信号線対３１間のピッチＤＳは、右臨界距離である。前記左臨界点Ａ及び右臨界点Ｂに対応するアイ幅は、ディファレンシャル配線のクロストークに対する要求にちょうど適合するが、前記左臨界点Ａと右臨界点Ｂとの間の他の点は、ディファレンシャル配線のクロストークに対する要求に適合しない。このため、前記ピッチＤＳを第二距離に設定し、前記第二距離を上述した左臨界距離より小さいか等しくすると共に、前記第三距離より大きいか等しくする。従来の配線において、通常信号線のピッチを増大する方法によりアイ幅を増大し、即ち、２７．５ｍｉｌである第四距離をピッチＤＳとする。本発明においては、前記第三距離を採用して、２７．５−３＝２４．５ｍｉｌの配線空間を節約でき、印刷回路基板の体積を大幅に減少させることが出来る。
【００１６】
再び図３を参照すると、前記ピッチＤＳは、前記第一距離より小さな第五距離を有し、前記第五距離は、前記出力信号アイパターン波型における前記第一距離より小さな距離に対応するアイ高さの値を最大にする。前記ピッチＤＳは、前記第一距離より大きな第六距離をさらに有し、前記第六距離に対応するアイ高さは、前記第五距離に対応するアイ高さと等しい。本実施形態において、前記第五距離は、３．５ｍｉｌであり、前記第六距離は、２７ｍｉｌである。前記アイパターン波型におけるアイ高さとピッチＤＳとの関連図は、非対称なパラボラである。前記非対称なパラボラは、左臨界点Ｃ及び右臨界点Ｄを有する。前記左臨界点Ｃに対応する２つのディファレンシャル信号線対３１間のピッチＤＳは、左臨界距離であり、前記右臨界点Ｄに対応する２つのディファレンシャル信号線対３１間のピッチＤＳは、右臨界距離である。前記左臨界点Ｃ及び右臨界点Ｄに対応するアイ高さは、ディファレンシャル配線のアイパターンに対する要求にちょうど適合するが、前記左臨界点Ｃと右臨界点Ｄとの間の他の点は、ディファレンシャル配線のアイパターンに対する要求に適合しない。このため、前記ピッチＤＳを第二距離に設定し、前記第二距離を上述した左臨界距離より小さいか等しくすると共に、前記第五距離より大きいか等しくする。従来の配線において、通常信号線のピッチを増大する方法によりアイ高さを増大し、即ち、２７ｍｉｌである第六距離を前記ピッチＤＳとする。本発明においては、前記第五距離を採用して、２７−３．５＝２３．５ｍｉｌの配線空間を節約でき、印刷回路基板の体積を大幅に減少させることが出来る。通常、アイ幅に対応する第二距離とアイ高さに対応する第二距離とは、ほぼ等しい。前記アイ幅に対応する第二距離と前記アイ高さに対応する第二距離とが異なる場合、前記第二距離は、両者の中のより大きいほうの値に設定される。
【００１７】
上述した第一実施形態によって、印刷回路基板１００上に２つのディファレンシャル信号線対３１を配置する場合、前記２つのディファレンシャル信号線対３１の間の距離を３ｍｉｌ或いは３．５ｍｉｌに設定することができる。これにより、前記ディファレンシャル信号線対３１間のクロストークを低減させるだけではなく、配線空間を大幅に節約できる。
【００１８】
本発明の第二実施形態において、各々のディファレンシャル信号線対３１の第一信号線３１１及び第二信号線３１２の幅Ｗは、５ｍｉｌであり、厚さＴは、１．９ｍｉｌであり、長さＬは、１２ｉｎｃｈ（インチ）である。各々のディファレンシャル信号線対３１の第一信号線３１１及び第二信号線３１２の間のピッチＳは、１０ｍｉｌである。前記信号層２０において、厚さＨは、４．２ｍｉｌであり、誘電率は、４．１である。前記溶接阻止層４０において、厚さＴｍは、０．７ｍｉｌであり、誘電率は、３．４である。
【００１９】
各々のディファレンシャル信号線対３１の入力端をそれぞれ１つの信号発生器に接続すると同時に、各々のディファレンシャル信号線対３１の出力端をそれぞれ１つのオシロスコープに接続する。前記信号発生器のデータ伝送率は、８ｂｉｔ／秒であり、前記オシロスコープのデータ接取のビット・エラー・レートは、１Ｅ−１２である。
【００２０】
図４及び図５に示したように、テストする時に、前記２つのディファレンシャル信号線対３１の間のピッチＤＳを変更すると、図４に示したアイパターン波型におけるアイ幅とピッチＤＳとの関連図、及び図５に示したアイパターン波型におけるアイ高さとピッチＤＳとの関連図を得る。
【００２１】
図４を参照すると、前記ピッチＤＳは、前記アイパターン波型のアイ幅を波谷値にする第一距離を有する。本実施形態おいて、前記第一距離は、１０ｍｉｌである。前記２つのディファレンシャル信号線対３１の間の距離が前記第一距離より大きい場合、前記２つのディファレンシャル信号線対３１の信号出力端のアイパターン波型におけるアイ幅或いはアイ高さが大きくなる。また、前記２つのディファレンシャル信号線対３１の間の距離が前記第一距離より小さい場合、前記２つのディファレンシャル信号線対３１の信号出力端のアイパターン波型におけるアイ幅或いはアイ高さが小さくなる。前記ピッチＤＳは、前記第一距離より小さな第三距離をさらに有し、前記第三距離は、前記出力信号アイパターン波型における前記第一距離より小さな距離に対応するアイ幅の値を最大にする。前記ピッチＤＳは、前記第一距離より大きな第四距離をさらに有し、前記第四距離に対応するアイ幅は、前記第三距離に対応するアイ幅と等しい。本実施形態において、前記第三距離は、３ｍｉｌであり、前記第四距離は、２５ｍｉｌである。
【００２２】
前記アイパターン波型におけるアイ幅とピッチＤＳとの関連図は、非対称なパラボラである。前記非対称なパラボラは、左臨界点Ｅ及び右臨界点Ｆを有する。前記左臨界点Ｅに対応する２つのディファレンシャル信号線対３１間のピッチＤＳは、左臨界距離であり、前記右臨界点Ｆに対応する２つのディファレンシャル信号線対３１間のピッチＤＳは、右臨界距離である。前記左臨界点Ｅ及び右臨界点Ｆに対応するアイ幅は、ディファレンシャル配線のアイパターンに対する要求にちょうど適合するが、前記左臨界点Ｅと右臨界点Ｆとの間の他の点は、ディファレンシャル配線のアイパターンに対する要求に適合しない。このため、前記ピッチＤＳを第二距離に設定し、前記第二距離を上述した左臨界距離より小さいか等しくすると共に、前記第三距離より大きいか等しくする。従来の配線において、通常、信号線のピッチを増大する方法によりアイ幅を増大し、即ち、２５ｍｉｌである第四距離をピッチＤＳとする。本発明おいては、前記第三距離を採用して、２５−３＝２２ｍｉｌの配線空間を節約でき、印刷回路基板の体積を大幅に減少させることが出来る。
【００２３】
再び図５を参照すると、前記ピッチＤＳは、前記第一距離より小さな第五距離をさらに有し、前記第五距離は、前記出力信号アイパターン波型における前記第一距離より小さな距離に対応するアイ高さの値を最大にする。前記ピッチＤＳは、前記第一距離より大きな第六距離をさらに有し、前記第六距離に対応するアイ高さは前記第五距離に対応するアイ高さと等しい。前記アイパターン波型におけるアイ高さとピッチＤＳとの関連図は、非対称なパラボラである。前記非対称なパラボラは、左臨界点Ｇ及び右臨界点Ｈを有する。前記左臨界点Ｇに対応する２つのディファレンシャル信号線対３１間のピッチＤＳは、左臨界距離であり、前記右臨界点Ｈに対応する２つのディファレンシャル信号線対３１間のピッチＤＳは、右臨界距離である。前記左臨界点Ｇ及び右臨界点Ｈに対応するアイ高さは、ディファレンシャル配線のアイパターンに対する要求にちょうど適合するが、前記左臨界点Ｇと右臨界点Ｈとの間の他の点は、ディファレンシャル配線のアイパターンに対する要求に適合しない。このため、前記ピッチＤＳを第二距離に設定し、前記第二距離を上述した左臨界距離より小さいか等しくすると共に、前記第五距離より大きいか等しくする。本発明においては、前記第二距離を採用して、２５−３＝２２ｍｉｌの配線空間を節約でき、印刷回路基板の体積を大幅に減少させることが出来る。
【００２４】
上述した第二実施形態によって、印刷回路基板１００上に２つのディファレンシャル信号線対３１を配置する場合、前記２つのディファレンシャル信号線対３１の間の距離を３ｍｉｌに設定することができる。これにより、前記ディファレンシャル信号線対３１間のクロストークを低減させるだけではなく、配線空間を大幅に節約できる。
【００２５】
本発明の２つの実施形態から明らかなように、相隣するディファレンシャル信号線対に対して配線する時に、まず、アイパターン波型中のアイ幅と相隣するディファレンシャル信号線対のピッチＤＳとの関連図、及びアイ高さと前記ピッチＤＳとの関連図を獲得する。次に、前記関連図を介して、適宜なピッチＤＳを見い出す。このピッチＤＳにおいて、アイパターン波型におけるアイ幅及びアイ高さがより大きく、相隣するディファレンシャル信号線対の間のクロストークがより小さいだけではなく、相隣するディファレンシャル信号線対の間の距離がより小さくて、配線空間を節約することができる。
【００２６】
なお、本発明は、前記信号層２０上に２つのディファレンシャル信号線対を配置することに限定されず、その上に同じピッチＤＳに複数対のディファレンシャル信号線対を配置してもよい。
【００２７】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれることはいうまでもない。
【符号の説明】
【００２８】
１０  接地ベース層
２０  信号層
３１  ディファレンシャル信号線対
４０  溶接阻止層
１００  印刷回路基板
３１１  第一信号線
３１２  第二信号線
【図１】
2011119726.tif 000003
【図２】
2011119726.tif 000004
【図３】
2011119726.tif 000005
【図４】
2011119726.tif 000006
【図５】
2011119726.tif 000007